(57)【要約】液体収容袋を、縁部領域（３）に沿って相互に溶着する２枚のシート（４；５）から一体的に作製し、該袋には、分離用細片（８）によって相互に分離する２チャンバ（６；７）を形成する。飲用又は吐出用スパウト（２）を、シール作用で分離用細片（８）において溶着し、この場合、該細片により、開封状態で、２チャンバ（６、７）を連結し、片方の袋チャンバ（６）を液体受容用とする一方で、他方の袋チャンバ（７）を、保護チャンバとして、外側スパウト端部（９）を包囲し、該端部をシール作用で封入する。【選択図】図１
2009517292.tif 000002
【特許請求の範囲】
【請求項１】
一体に溶着した飲用スパウト又は吐出用スパウト（２）を有する密閉流体袋（１）であって、該流体袋（１）には２つの密閉したチャンバ（６；７）を形成し、該２チャンバを、単体の袋で分離用細片（８）によって相互に分離させる、又は分離用細片に沿って２つの個別な袋を互いに溶着して作製すること、及び前記飲用スパウト又は吐出用スパウト（２）を、前記分離用細片（８）で溶封し、それにより開封状態で該細片で前記２チャンバ（６、７）を連結させ、片方の袋チャンバ（６）を、流体を受容するよう想定する一方で、他方の袋チャンバ（７）で、前記飲用スパウト又は吐出用スパウト（２）の出口側を封入して、これを開封してもよい保護チャンバとすること、を特徴とする密閉流体袋（１）。
【請求項２】
前記飲用スパウト又は吐出用スパウト（２）を、１部品として射出成形した、ゴム状弾性プラスチックの基部（１０）及び楔状のリップスパウト（９）を有するスパウト（２）とし、リップ部（１４）の端部側を細い配置部により閉じ、該配置部を、前記リップスパウト（９）を回転させる、或はリップライン（１６）の走る方向に前記リップ部を互いに押付けて、裂いて開口させてもよいこと、を特徴とする請求項１に記載の、一体に溶着した飲用スパウト又は吐出用スパウト（２）を有する密閉流体袋（１）。
【請求項３】
前記飲用スパウト又は吐出用スパウト（２）を、２枚のフィルム（４；５）を、該縁部領域（３）で相互に溶着して、１体として製造し、分離用細片（８）で相互に分離する２つの密閉したチャンバ（６；７）を形成すること、を特徴とする請求項１または２に記載の、一体に溶着した飲用スパウト又は吐出用スパウト（２）を有する密閉流体袋（１）。
【請求項４】
前記スパウト（２）を、前記分離用細片（８）に溶着した基部（１０）を有し、前記保護チャンバ（７）内に自在に突出するリップスパウト（９）を有する飲用スパウトとすること、及び前記保護チャンバ（７）は、縁部（３）に沿って互いに溶着した２枚のフィルム（４、５）から成り、該フィルムが外側に向かい延伸し、把持用タブとして２枚の遊離したフィルムタブ（１２、１３）となること、を特徴とする請求項１から３までのいずれかに記載の、一体に溶着した飲用スパウト又は吐出用スパウト（２）を有する密閉流体袋（１）。
【請求項５】
前記スパウト（２）を、前記分離用細片（８）に溶着する基部（１０）及び前記流体チャンバ（６）内に自在に突出するリップスパウト（９）を有する吐出用スパウトとすること、及び前記保護チャンバ（７）が、縁部に沿って互いに溶着した２枚のフィルム（４、５）から成り、該縁部が外側で延伸し、把持用タブとして２枚の遊離したフィルムタブ（１２、１３）となること、を特徴とする請求項１に記載の、一体に溶着した飲用スパウト又は吐出用スパウト（２）を有する密閉流体袋（１）。
【請求項６】
前記吐出用スパウト（２）を、１部品として射出成形し、ゴム状弾性プラスチックの基部（１０）及び楔状のリップスパウト（９）を有する、スパウト（２）とし、前記リップ部（１４）の端部側を細い配置部により閉じ、該配置部を、前記スパウト（２）の内側から管を押し通して、裂いて開口してもよいこと、を特徴とする請求項５に記載の、一体に溶着した飲用スパウト又は吐出用スパウト（２）を有する密閉流体袋（１）。
【請求項７】
前記飲用スパウト又は吐出用スパウト（２）の前記基部（１０）を、船形、長円形又は円形に設計し、前記船形、長円形又は円形の基部の前記側壁には、前記袋（１）の前記２チャンバ（６、７）の間の移行領域に密接に密封して溶着するための長手方向溝を含み、前記移行領域を分離用細片（８）として機能させること、を特徴とする請求項１から請求項６までのいずれかに記載の、一体に溶着した飲用スパウト又は吐出用スパウト（２）を有する密閉流体袋（１）。
【請求項８】
前記流体袋（１）の外側の、２枚重ねの縁部領域（３）には、前記流体袋を懸架するためのパンチ穴（１５）を含むこと、を特徴とする請求項１から請求項７までのいずれかに記載の、一体に溶着した飲用スパウト又は吐出用スパウト（２）を有する密閉流体袋（１）。
【請求項９】
前記飲用スパウト（２）には、押ボタン（２０、２１）を備え、それにより該スパウトを折返し、この折返した位置で前記押ボタンによって固定してもよいこと、を特徴とする請求項１から請求項８までのいずれかに記載の、一体に溶着した飲用スパウト又は吐出用スパウト（２）を有する密閉流体袋（１）。
【発明の詳細な説明】
【技術分野】
【０００１】
本発明は、一体に溶着した飲用スパウト又は吐出用スパウトを有する密閉流体袋に関する。
【背景技術】
【０００２】
あらゆる種類の密閉具を有する流体袋が、様々な変形例で知られている。そうした袋は、動物の皮、腸から、ゴムから、又はプラスチックフィルム材料からも製造されるかも知れない。プラスチックフィルム材料の流体袋は特に実用的である。というのは、該袋は軽量で、様々な形状とすることが可能で、従って携帯や保管が遥かに容易であり、空の場合には、あまりスペースを取らないからであり、最終的に該袋を全く問題無く廃棄してしてもよいためである。こうしたプラスチックフィルムの流体袋は、殆どが使い捨てを想定しているため、それに関連する密閉具を、極めて安価に製造可能にする必要がある。医学の分野では、こうした袋を、輸液を調製するのにも利用しているが、そうした袋では、完全性も保証しなければならない。しかしながら、これまでに既知な解決方法は、極めて広範囲に及ぶ。密閉具は、幾つかの部品から成り、そのため高価である。完全性を保証する解決方法は、複雑で、製造に関して多大な労力を必要とする。
【発明の開示】
【０００３】
本発明の目的は、そうした飲用スパウト又は吐出用スパウトを有する流体袋を特定することであり、該流体袋は密封され、スパウト付の実用的な密閉具を備え、完全性を保証するもので、特に製造を安価にすべきである。そのようにして、飲用袋を１変形例では製造可能にし、更なる変形例では、流体を袋から吸出して該流体を計量する袋を製造可能にすべきである。
【０００４】
この目的を、特許請求項１に記載の特徴を有する、一体に溶着した飲用スパウト又は吐出用スパウトを有する密閉流体袋により達成する。特別な特徴として、流体袋には２つの密閉したチャンバを形成し、該チャンバを、単体の袋で分離用細片により相互に分離する、或は分離用細片に沿って２つの個別の袋を互いに溶着して作製する点が挙げられる。その上、該飲用スパウト又は吐出用スパウトを、該分離用細片で溶封し、それにより開封状態で、該細片が両チャンバを連結し、片方の袋チャンバを、流体を受容するよう想定する一方で、他方の袋チャンバを保護チャンバとして、外側スパウト端部を包囲し、密閉する。
【発明を実施するための最良の形態】
【０００５】
異なる２変形例について、図面で示す。それらについて更に詳述し、機能方法及び使用方法について説明する。
【０００６】
図１から分かるように、流体袋１は、相互に分離した２チャンバ６、７から成る。該袋を、２枚のプラスチックフィルム４、５を、相互に合わせて、該フィルムの縁部３に沿って相互に溶着して、製造する。同時に、飲用スパウト又は吐出用スパウト２を、袋を２チャンバ６、７に分割する分離用細片８で溶封する。袋チャンバ６の底部にある縁部１１を、初めは未溶着状態にする。ここでは下側袋チャンバ６を、流体チャンバとする。該チャンバを後で下から充填するが、そのために袋を１８０度回転させ、そうして下側を頭側へひっくり返す。該チャンバを同位置で充填し、その後、縁部１１を該チャンバの下側で溶着する。飲用スパウト又は吐出用スパウト２自体を、１部品として製造したプラスチック射出成形部品とする。このスパウト２は、基部１０と関連する注出スパウト９から成る。上側袋チャンバ７で、一体に溶着した注出スパウト９を完全に包囲し、外側に対してこれを封入する。このようにして、完全性を保証する。この上側袋チャンバ７を開封可能にするために、該チャンバを最上部に向け外へと延伸させた遊離状態の２タブ１２、１３にする。これらは、単に２枚のフィルム片４、５を延伸したもので、そこから袋７は互いに溶着することで立上るが、該フィルム片は互いに溶着していないため、遊離したままになり、その結果手で把持可能になる。
【０００７】
図２では、側面から、２チャンバ６、７を有する流体袋を、見られる。下部には、流体用チャンバ６を認識でき、その上方では、注出用スパウト９と離間させて該スパウトを閉封したチャンバ７を認識できる。スパウト２の基部１０を細片８に溶着し、該細片８により、該２チャンバ６、７を相互に密封分離させる。上側チャンバ７は外側へと延伸する２タブ１２、１３となり、即ち、２フィルム片４、５が外側へと延伸して夫々に遊離片となり、それによりこれら２つの遊離した把持用タブ１２、１３を形成する。上側袋チャンバ７により、完全性を保証する。該チャンバ７が損傷していない限り、流体袋及びその密封具が未開封、未使用状態であることを示している。
【０００８】
図３では、飲用スパウト及び吐出用スパウト２を別々に示している。このような飲用及び吐出用スパウトは既に存在する。ここで明らかなように、かかる飲用スパウト及び吐出用スパウト２には、基部１０を含む。この基部１０はここでは船形をしており、該船の横壁を溝状に設計している。これにより、船壁を、特に密接に、密封して、プラスチックフィルムに溶着させてもよい。これは、船形の代わりに長円形又は円形の場合でも同様にしてもよい。穴部１７は船を貫通し、船１０の下側と上側で外側に開口している。注出スパウト９を、船の上側に一体的に形成又は成形する。この注出スパウト９は、軽量な、ゴム状弾性材料から成る。注出スパウト９はその端部で、リップライン１６を有するリップ部１４を形成する。このリップラインを細く配置することで密閉する。注出スパウト９を回転させると、この細い配置部が裂け、注出スパウト９は従って開口する。この回転を、拇指と屈曲した示指との間で注出スパウトを固定して発生させ、その後回転させてもよい。捩り力がその結果発生し、それにより細い配置部が裂けて開口する。一方、注出スパウト９のリップ部を、リップ部１４が口唇と直角になるよう注出スパウトを口に入れて、開口してもよい。その後、注出リップ部１４を互いにリップライン１６の方向に咬み、すると同様に細い配置部が裂けて開口し、リップ部１４が開口する。こうしたリップ部をリップライン１６が走る方向に互いに押圧することを、２本の指で行ってもよい。スパウトには任意に、押ボタン密閉具２０、２１を備えてもよい。これにより、破線で表した線２２についてスパウトを屈曲可能となり、その後、押ボタン２０を閉じてもよい。スパウトは、この屈曲位置で流体密状態となる。こうしたスパウトの密閉能力によって、まず袋の一部だけを飲み、更に密封して保管可能にできる。
【０００９】
初めてこうした流体袋を開封するには、２つのタブ１２、１３を把持して、それらを破き、それにより上側袋チャンバ７の溶着を裂く。図４で表すように、その後これら２フィルム部分を折り曲げる。飲用スパウト及び吐出用スパウト２をそれにより解放し、注出スパウト９を口に運び、そのリップ部１４を開口してもよい。飲むために、勿論、袋を飲用スパウトより高くする必要があるが、そうでなければ、スロトーを使用して、該ストローを、開口したスパウト９のリップ部１４から流体チャンバ６に、２リップ端部を相互に押付けることで、導入してもよい、即ちリップ部を開口して、飲用ストローを導入してもよい。下側袋６を、１変形例では自立袋として製造してもよく、そうすることで、一度開封した袋を、保存面に載置可能にできる。
【００１０】
図５では、かかる密閉流体袋の第２変形例について示している。この変形例は、特に医療用に考案したものだが、流体を徐々に袋から吸出して取出す、例えば飲物自動販売機での用途も考えられる。上記の第１変形例と唯一異なる点は、ここでは飲用スパウト及び吐出用スパウト２を、１８０度回転させて、一体に溶着した点である。基部１０をここでも同様に細片８に溶着するが、ここでは、スパウト９は下方に袋チャンバ６内に突出し、該チャンバには流体を含む。この変形例ではまた更に、流体袋６の端部領域にパンチ穴１５を備え、それにより袋をフックに吊架してもよい。
【００１１】
図６では、流体袋のこの変形例を、例えば医療用輸液に関して、どのように開封し、使用するかについて示している。まず、既に記述したように、上側袋チャンバ７を裂いて開封するが、２つの遊離タブ１２、１３を把持して、相互に引き離してこれを行う。上側袋チャンバ７の溶着が、これにより裂ける。しかしながら、これによって解放したスパウトから注出するのでなく、単にスパウト基部１０を貫通する穴の下側出口から注出する。棒状の中空管１８を、次に上方から該穴を介して導入し、内側から注出スパウト９に押込んでもよい。該管１８を強く内側から注出スパウト９を通して押込むと、その結果リップ部１４又は該リップ部を密閉する細い配置部が、裂けて開口する。該管１８を袋に、その端部が流体袋の下隅に当るまで、押込む。該管はこの位置でしっかりと保持されるが、これは袋に懸装する管１８又は可撓管１９を、注出スパウト９の開口したリップ部１４で周止めし、防滑して保持するためである。流体袋をその後そのパンチ穴１５でフック１９に吊架し、それにより該袋を斜めに吊架して、袋の隅が、図６に示すように、最も底部に位置するようにする。次に、流体容器の中身を吸出して、確実に流体袋を完全に空にしてもよい。
【図面の簡単な説明】
【００１２】
【図１】未開封状態での飲用スパウトを有する密閉流体袋を示す。
【図２】未開封状態での飲用スパウトを有する密閉流体袋を、側面から見た図である。
【図３】飲用スパウト又は吐出用スパウトを分離して示した図である。
【図４】開封状態での飲用スパウトを有する密閉流体袋である。
【図５】未開封状態での吐出用スパウトを有する密閉流体袋である。
【図６】開封状態での、使用位置での吐出用スパウトを有する、密閉流体袋である。
【符号の説明】
【００１３】
１            流体袋
２            飲用スパウト及び吐出用スパウト
３            縁部
４            フィルム
５            フィルム
６            チャンバ
７            チャンバ
８            細片
９            注出スパウト
１０            基部
１１            縁部
１２            タブ
１３            タブ
１４            リップ部
１５            パンチ穴
１６            リップライン
１７            穴部
１８            中空管
１９            フック
２０            押ボタン密閉具
２１            押ボタン密閉具
２２            線
【図１】
2009517292.tif 000003
【図２】
2009517292.tif 000004
【図３】
2009517292.tif 000005
【図４】
2009517292.tif 000006
【図５】
2009517292.tif 000007
【図６】
2009517292.tif 000008
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
一体に溶着され密閉された飲用スパウト又は吐出用スパウト（２）を有する密閉流体袋（１）であって、該流体袋（１）は２つの密閉したチャンバ（６；７）を形成しており、該２チャンバは、単体の袋上の分離用細片（８）によって相互が分離させられるか、又は分離用細片に沿って２つの個別な袋を互いに溶着する、あるいは一方のチャンバ（６）に溶着されそれによって前記チャンバ（６）と溶着されている飲用スパウト又は吐出用スパウト（２）を上置し縮小することでチャンバ（７）を作製することによって作製され；
閉状態にある飲用スパウト又は吐出用スパウト（２）は前記分離用細片（８）に溶封され、それにより開封状態で該細片が前記２チャンバ（６、７）を連結するようになっていること、またそのスパウトは第一チャンバ（６）あるいは第二チャンバ（７）へと伸びており、片方の袋チャンバ（６）を、流体を受容するよう想定する一方で、他方の袋チャンバ（７）で飲用スパウト又は吐出用スパウト（２）の出口側を封入してこれを保護チャンバとし、それによって保護チャンバとして機能する前記チャンバ（７）が、廃棄されるいかなるごみ材料も生むことなく手によって開けられるようになっていること、そしてさらに飲用スパウト又は吐出用スパウト（２）を、１部品として射出成形した、ゴム状弾性プラスチックの基部（１０）及び楔状のリップスパウト（９）を有するスパウト（２）とし、リップ部（１４）の端部側を細い配置部により密閉し、該配置部は廃棄されるいかなるごみも生むことなく手あるいは口の機械的な動きのみによって、つまりリップスパウト（９）を回転させる、或はリップライン（１６）の走る方向にリップ部を互いに押付ける、あるいは引用ストローを挿入することで、裂いて開口させることができること、を特徴とする密閉流体袋（１）。
【請求項２】
一体に溶着した飲用スパウト又は吐出用スパウト（２）を有する密閉流体袋（１）であって、前記流体袋（１）を、２枚のフィルム（４；５）を、該縁部領域（３）で相互に溶着して、１体として製造し、分離用細片（８）で相互に分離する２つの密閉したチャンバ（６；７）を形成すること、を特徴とする請求項１に記載の密閉流体袋（１）。
【請求項３】
一体に溶着した飲用スパウト又は吐出用スパウト（２）を有する密閉流体袋（１）であって、前記スパウト（２）を、前記分離用細片（８）に溶着した基部（１０）を有し、前記保護チャンバ（７）内に自在に突出するリップスパウト（９）を有する飲用スパウトとすること、及び前記保護チャンバ（７）は、縁部（３）に沿って互いに溶着した２枚のフィルム（４、５）から成り、該フィルムが外側に向かい延伸し、把持用タブとして２枚の遊離したフィルムタブ（１２、１３）となること、を特徴とする請求項１または２に記載の密閉流体袋（１）。
【請求項４】
一体に溶着した飲用スパウト又は吐出用スパウト（２）を有する密閉流体袋（１）であって、前記スパウト（２）を、前記分離用細片（８）に溶着する基部（１０）及び前記流体チャンバ（６）内に自在に突出するリップスパウト（９）を有する吐出用スパウトとすること、及び前記保護チャンバ（７）が、縁部に沿って互いに溶着した２枚のフィルム（４、５）から成り、該縁部が外側で延伸し、把持用タブとして２枚の遊離したフィルムタブ（１２、１３）となること、を特徴とする請求項１に記載の密閉流体袋（１）。
【請求項５】
一体に溶着した飲用スパウト又は吐出用スパウト（２）を有する密閉流体袋（１）であって、前記吐出用スパウト（２）を、１部品として射出成形し、ゴム状弾性プラスチックの基部（１０）及び楔状のリップスパウト（９）を有する、スパウト（２）とし、前記リップ部（１４）の端部側を細い配置部により閉じ、該配置部を、前記スパウト（２）の内側から管を押し通して、裂いて開口してもよいこと、を特徴とする請求項４に記載の密閉流体袋（１）。
【請求項６】
一体に溶着した飲用スパウト又は吐出用スパウト（２）を有する密閉流体袋（１）であって、前記飲用スパウト又は吐出用スパウト（２）の前記基部（１０）を、船形、長円形又は円形に設計し、前記船形、長円形又は円形の基部の前記側壁には、前記袋（１）の前記２チャンバ（６、７）の間の移行領域に密接に密封して溶着するための長手方向溝を含み、前記移行領域を分離用細片（８）として機能させること、を特徴とする請求項１から５の何れかに記載の密閉流体袋（１）。
【請求項７】
一体に溶着した飲用スパウト又は吐出用スパウト（２）を有する密閉流体袋（１）であって、該流体袋（１）の外側の、２枚重ねの縁部領域（３）には、前記流体袋を懸架するためのパンチ穴（１５）を含むこと、を特徴とする請求項１から６の何れかに記載の密閉流体袋（１）。
【請求項８】
一体に溶着した飲用スパウト又は吐出用スパウト（２）を有する密閉流体袋（１）であって、前記飲用スパウト（２）には、押ボタン（２０、２１）を備え、それにより該スパウトを折返し、この折返した位置で前記押ボタンによって固定してもよいこと、を特徴とする請求項１から７の何れかに記載の密閉流体袋（１）。
【手続補正２】
【補正対象書類名】明細書
【補正対象項目名】０００２
【補正方法】変更
【補正の内容】
【０００２】
あらゆる種類の密閉具を有する流体袋が、様々な変形例で知られている。そうした袋は、動物の皮、腸から、ゴムから、又はプラスチックフィルム材料からも製造されるかも知れない。プラスチックフィルム材料の流体袋は特に実用的である。というのは、該袋は軽量で、様々な形状とすることが可能で、従って携帯や保管が遥かに容易であり、空の場合には、あまりスペースを取らないからであり、最終的に該袋を全く問題無く廃棄してもよいためである。こうしたプラスチックフィルムの流体袋は、殆どが使い捨てを想定しているため、それに関連する密閉具を、極めて安価に製造可能にする必要がある。医学の分野では、こうした袋を、輸液を調製するのにも利用しているが、そうした袋では、完全性も保証しなければならない。特許文献１は最も近い技術背景だとみなされる。しかしそこでは、保護袋は完全に引き剥がされるようになっており、したがってそれは廃棄される部分となっている。その上、この密閉具は密閉ではなく、細片を含んでいる。それは袋を締め付け、その内部に外気圧よりも高い圧力を生みだすことによって開けられる。その結果、内容物が押し出される。よってこの密閉具は飲用密閉具としては好適ではない。特許文献２は、裂線に沿って引き裂かれ、その後廃棄される取り外し式の衛生保護用袋を含んだ、統合的な密閉具を持つ袋を開示している。これも同様にプラスチックごみを排出する。その上、付属する密閉具を開くことで、そのキャップがとりはずされ、これもまた別に廃棄されねばならない部分となる。しかしながら、これまでに既知な解決方法は、極めて広範囲に及ぶ。密閉具は、幾つかの部品から成り、そのため高価である。完全性を保証する解決方法は、複雑で、製造に関して多大な労力を必要とする。
【特許文献１】米国特許第６１３１８０６号
【特許文献２】国際公開第２００４／０２４５７９号
【国際調査報告】
2009517292.tif 000009
2009517292.tif 000010
2009517292.tif 000011
2009517292.tif 000012
2009517292.tif 000013
2009517292.tif 000014